(57)【要約】【課題】  短期間且つ低コストでの導入が可能であり、プログラミングの知識がなくても導入しやすくい複合個室群管理システムを提供する。【解決手段】  本発明の複合個室群管理システムは、一又は二以上の個室が設置された個室設置領域の領域図を取り込む領域図取り込み手段と、前記領域図取り込み手段で取り込んだ領域図のオーバーレイ領域に個室の利用状況を表示する情報表示部を設定する情報表示部設定手段と、当該情報表示部設定手段で設定した情報表示部と前記各個室に設置される子機の固有ＩＤとを対応付ける対応付け手段を備えたものであり、前記領域図取り込み手段での領域図の取込みと、前記情報表示部設定手段での情報表示部の設定と、前記対応付け手段での情報表示部と固有ＩＤとの対応付けを、管理者が利用する端末装置のブラウザ上で行うことができるようにした。【選択図】図１
2018132789.tif 000002
【特許請求の範囲】
【請求項１】
一又は二以上の個室群を管理することのできる複合個室群管理システムであって、
前記一又は二以上の個室が設置された個室設置領域の領域図を取り込む領域図取り込み手段と、前記領域図取り込み手段で取り込んだ領域図のオーバーレイ領域に個室の利用状況を表示する情報表示部を設定する情報表示部設定手段と、当該情報表示部設定手段で設定した情報表示部と前記各個室に設置される子機の固有ＩＤとを対応付ける対応付け手段を備え、
前記領域図取り込み手段での領域図の取込みと、前記情報表示部設定手段での情報表示部の設定と、前記対応付け手段での情報表示部と固有ＩＤとの対応付けを、管理者が利用する端末装置のブラウザ上で行うことができる、
ことを特徴とする複合個室群管理システム。
【請求項２】
請求項１記載の複合個室群管理システムにおいて、
前記複合個室群管理システムは、個室群の管理者が利用する端末装置からの要求に応じて管理者が利用する管理者向けページを生成し、生成した管理者向けページを当該管理者が利用する端末装置のブラウザ上に表示可能であり、
領域図取り込み手段での領域図の取込みと、情報表示部設定手段での情報表示部の設定と、対応付け手段での情報表示部と固有ＩＤとの対応付けを、管理者が利用する端末装置のブラウザに表示される管理者向けページ上で行うことができる、
ことを特徴とする複合個室群管理システム。
【請求項３】
請求項２記載の複合個室群管理システムにおいて、
各個室に設置される子機に個室の利用状況等を表示する表示器が設けられ、
管理者向けページに個室の利用状況等を管理するための管理ページが設けられ、
前記管理ページに前記表示器に表示された利用状況等と連動する情報が表示される、
ことを特徴とする複合個室群管理システム。
【請求項４】
請求項３記載の複合個室群管理システムにおいて、
表示器に当該表示器が設置された個室に関する管理情報を表示する管理情報表示部が設けられ、
前記管理情報表示部の表示を管理者が利用する管理者向けページから制御することができる、
ことを特徴とする複合個室群管理システム。
【請求項５】
請求項１から請求項４のいずれか１項に記載の複合個室群管理システムにおいて、
前記複合個室群管理システムは、利用者が利用する端末装置からの要求に応じて個室利用者が利用する利用者向けページを生成し、生成した利用者向けページを当該利用者が利用する端末装置のブラウザ上に表示可能であり、
利用者向けページに個室の利用状況を確認するための利用状況確認ページが設けられた、
ことを特徴とする複合個室群管理システム。
【請求項６】
請求項５記載の複合個室群管理システムにおいて、
端末装置で二次元コードを読み取ることで、当該端末装置のブラウザ上に利用状況確認ページが表示される、
ことを特徴とする複合個室群管理システム。
【請求項７】
請求項５又は請求項６記載の複合個室群管理システムにおいて、
利用者向けページに個室についての情報を提供するための情報提供ページが設けられ、
前記情報提供ページから個室に関する情報を、当該個室を含む個室群の管理者に向けて提供することができる、
ことを特徴とする複合個室群管理システム。
【請求項８】
請求項１から請求項７のいずれか１項に記載の複合個室群管理システムにおいて、
前記複合個室群管理システムは、保守業者が利用する端末装置からの要求に応じて保守業者が利用する保守業者向けページを生成し、生成した保守業者向けページを当該保守業者が利用する端末装置のブラウザ上に表示可能であり、
前記保守業者向けページに保守作業報告をするための作業報告ページが設けられ、
前記作業報告ページから個室に関する作業報告を、当該個室を含む個室群の管理者に対して行うことができる、
ことを特徴とする複合個室群管理システム。
【請求項９】
請求項７又は請求項８記載の複合個室群管理システムにおいて、
端末装置で個室に設けられた二次元コードを読み取ることで、当該端末装置のブラウザ上に当該個室についての情報提供ページ又は作業報告ページが表示され、
前記情報提供ページから当該個室についての情報を提供することができ、
前記作業報告ページから当該個室についての作業報告を行うことができる、
ことを特徴とする複合個室群管理システム。
【発明の詳細な説明】
【技術分野】
【０００１】
本発明は、一又は二以上の個室が設けられた施設や場所（本願において、これらをまとめて「施設」という）において、各個室の利用状況や管理情報（本願において「個室情報」という）の確認や管理を行うことのできる複合個室群管理システムに関するものである。
【背景技術】
【０００２】
個室の利用状況を可視化するシステムとして、個室に設置された無線センサーがドアの開閉を検知すると、ＩｏＴゲートウェイ機器を経由してクラウドサーバにデータがアップされるシステム（非特許文献１）が提案されている。このシステムでは、ウェブブラウザ画面上にトイレルームのレイアウト図が表示され、個室の利用状況がリアルタイムでウェブブラウザ画面上に反映されるように構成されている。
【先行技術文献】
【特許文献】
【０００３】
【非特許文献１】株式会社ファンブライトホームページ（ｈｔｔｐ：／／ｗｗｗ.ｆａｎｂｒｉｇｈｔ.ｊｐ／ｉｏｔ／ｍａｎａｇｅ／ｔｏｉｌｅｔ／）
【発明の概要】
【発明が解決しようとする課題】
【０００４】
前記システムではレイアウト図が不可欠であるが、個室の配置や数、形状等は施設ごとに異なるため、システムを導入する施設ごとに個別のレイアウト図を作成しなければならない。また、レイアウト図上に実際の個室の状況が表示されるようにするためには、レイアウト図上に個室の状況が表示される表示部を設定し、当該表示部と実際の個室とを対応付ける（関連付ける）必要があるが、個室の状況が表示される表示部の設定やレイアウト上の表示部個室と実際の個室とを対応付けるプログラミングには専門的な知識が必要であるため、システムの開発と導入に時間もコストもかかるという難点がある。
【０００５】
また、施設はリニューアル（改装）をすることがあるが、改装に伴ってレイアウトが変更された場合には、改めてレイアウト図の作成や前記プログラミング作業が必要であり、導入後にも多額のコストがかかることがある。
【０００６】
本発明は、従来に比して短期間且つ低コストでの導入が可能であり、プログラミングの知識がなくても導入しやすく、トイレブース以外の各種個室群の管理にも利用することのできる複合個室群管理システムを提供することにある。
【課題を解決するための手段】
【０００７】
本発明の複合個室群管理システムは、一又は二以上の個室が設置された個室設置領域の領域図を取り込む領域図取り込み手段と、前記領域図取り込み手段で取り込んだ領域図のオーバーレイ領域に個室の利用状況や管理情報（本願において「利用状況等」という）を表示する情報表示部を設定する情報表示部設定手段と、当該情報表示部設定手段で設定した情報表示部と前記各個室に設置される子機の固有ＩＤとを対応付ける対応付け手段を備えたものであり、前記領域図取り込み手段での領域図の取込みと、前記情報表示部設定手段での情報表示部の設定と、前記対応付け手段での情報表示部と固有ＩＤとの対応付けを、管理者が利用する端末装置のブラウザ上で行うことができるシステムである。
【０００８】
前記複合個室群管理システムで、個室群の管理者が利用する端末装置からの要求に応じて管理者が利用する管理者向けページを生成し、生成した管理者向けページを当該管理者が利用する端末装置のブラウザ上に表示できるようにし、前記領域図取り込み手段での領域図の取込みと、前記情報表示部設定手段での情報表示部の設定と、前記対応付け手段での情報表示部と固有ＩＤとの対応付けを、管理者が利用する端末装置のブラウザに表示される管理者向けページ上で行うことができるようにすることもできる。
【０００９】
前記複合個室群管理システムにおいて、各個室に設置される子機に個室の利用状況等を表示する表示器を設け、管理者向けページに個室の利用状況等を管理するための管理ページを設け、当該管理ページに表示器に表示された利用状況等と連動する情報が表示されるようにすることもできる。
【００１０】
前記複合個室群管理システムにおいて、表示器に当該表示器が設置された個室に関する管理情報を表示する管理情報表示部を設け、当該管理情報表示部の表示を管理者が利用する管理者向けページから制御できるようにすることもできる。
【００１１】
前記複合個室群管理システムで利用者が利用する端末装置からの要求に応じて個室利用者が利用する利用者向けページを生成し、生成した利用者向けページを当該利用者が利用する端末装置のブラウザ上に表示できるようにし、当該利用者向けページに個室の利用状況を確認するための利用状況確認ページが設けることもできる。
【００１２】
前記複合個室群管理システムでは、端末装置で二次元コードを読み取ることで、当該端末装置のブラウザ上に利用状況確認ページが表示されるようにすることもできる。
【００１３】
前記複合個室群管理システムにおいて、利用者向けページに個室についての情報を提供するための情報提供ページを設け、当該情報提供ページから個室に関する情報を、当該個室を含む個室群の管理者に向けて提供できるようにすることもできる。
【００１４】
前記複合個室群管理システムで保守業者が利用する端末装置からの要求に応じて保守業者が利用する保守業者向けページを生成し、生成した保守業者向けページを当該保守業者が利用する端末装置のブラウザ上に表示できるようにし、当該保守業者向けページに保守作業報告をするための作業報告ページを設けて、当該作業報告ページから個室に関する作業報告を、当該個室を含む個室群の管理者に対して行えるようにすることもできる。
【００１５】
前記複合個室群管理システムでは、端末装置で個室に設けられた二次元コードを読み取ることで、当該端末装置のブラウザ上に当該個室についての情報提供ページ又は作業報告ページが表示され、情報提供ページから当該個室についての情報を提供することができ、作業報告ページから当該個室についての作業報告を行うことができるようにすることもできる。
【発明の効果】
【００１６】
本発明の複合個室群管理システムは、領域図を取り込む領域図取り込み手段と、取り込んだ領域図のオーバーレイ領域に情報表示部を設定する情報表示部設定手段と、情報表示部と各個室に設置される子機の固有ＩＤとを対応付ける対応付け手段を備えており、領域図取り込み手段での領域図の取込み、情報表示部設定手段での情報表示部の設定、及び対応付け手段での情報表示部と固有ＩＤとの対応付けを、管理者が利用する端末装置のブラウザ上で行うことができるため、従来必要であった専門的な知識を要する作業が不要であり、従来よりも短期間且つ低コストで導入することができる。
【図面の簡単な説明】
【００１７】
【図１】本発明の複合個室群管理システムの概要説明図。
【図２】（ａ）は本発明における子機の構成の説明図、（ｂ）は子機の設置場所の説明図。
【図３】本発明における無線通信手段と処理装置の説明図。
【図４】本発明におけるサーバの構成の説明図。
【図５】編集ページの説明図。
【図６】図５に示す編集ページにレイアウト図を読み込んだ状態の説明図。
【図７】（ａ）は始点と終点をクリックすることによって情報表示部の範囲を指定する場合の説明図、（ｂ）は任意点をクリックすることで自動的に情報表示部の範囲が指定される場合の説明図。
【図８】（ａ）はログデータを用いて情報表示部と実際の個室を対応付ける場合の説明図、（ｂ）はＩＤを直接入力することによって情報表示部と実際の個室を対応付ける場合の説明図。
【図９】管理者向けページの確認ページの説明図。
【図１０】（ａ）は利用状況管理ページに表示される累計利用時間の一例を示すもの、（ｂ）は利用状況管理ページに表示される利用割合の一例を示すもの、（ｃ）は利用状況管理ページに表示される個室の利用回数の一覧を示すもの。
【図１１】（ａ）はチェックボックス付きのリストをチェックして送信することで作業報告できるようにした作業報告ページの説明図、（ｂ）は項目別二次元コードを読み込むことで作業報告できるようにした作業報告ページの説明図。
【図１２】利用状況確認ページの説明図。
【図１３】（ａ）はチェックボックス付きのリストをチェックして送信することで情報提供できるようにした情報提供ページの説明図、（ｂ）は項目別二次元コードを読み込むことで情報提供できるようにした情報提供ページの説明図。
【図１４】（ａ）遊園地の園内マップ上にトイレ情報が表示されるようにした場合の利用状況確認ページの説明図、（ｂ）は（ａ）の園内マップ上の任意のトイレルームを選択したときに表示される利用状況確認ページの説明図。
【図１５】（ａ）オフィスビルのフロアマップ上にトイレ情報が表示されるようにした場合の利用状況確認ページの説明図、（ｂ）は（ａ）のフロアマップ上の任意のトイレルームを選択したときに表示される利用状況確認ページの説明図。
【図１６】（ａ）はサーバとしてローカルサーバを用いる場合の説明図、（ｂ）はサーバを省略して処理装置で各種処理が行われるようにした場合の説明図。
【図１７】（ａ）は喫茶店のレイアウト図、（ｂ）は当該喫茶店にあるトイレルームの説明図。
【発明を実施するための形態】
【００１８】
（実施形態）
本発明の複合個室群管理システム（以下「本システム」という）の実施形態を、図面を参照して説明する。本システムは、各種個室Ｂの管理システムとして利用することができるが、ここでは、個室Ｂがトイレルームに設けられたトイレブースの場合を一例として説明する。図１に本発明の実施形態の概要を示す。図１において、１は子機、２は無線通信手段、３は処理装置、４はサーバ、Ｘは利用者の使用する端末装置、Ｙは基地局である。なお、本願では、一又は二以上の個室が設置された領域（この実施形態ではトイレルーム）を個室設置領域Ａといい、この個室設置領域Ａに設けられた一又は二以上の個室の集合を「個室群」という）。
【００１９】
［子機］
前記子機１はいわゆるセンサー機器（センサーノード）であり、個室（トイレブース）Ｂの扉Ｄの開閉や、個室Ｂ内の人の有無（人の出入り）を検知するものである。一例として図２（ａ）に示す子機１は、人感センサー５と、扉センサー６と、タイマー７と、通信部８と、制御部（マイコン）９と、表示器１０と、電源１１を備えている。図２（ｂ）に示すように、子機１は、各トイレルームに設けられた複数の個室Ｂに一つずつ設置される。それぞれの子機１には個別のアドレス（本願において「固有ＩＤ」という）が割り当てられている。
【００２０】
前記人感センサー５は個室Ｂ内の人を検知するものであり、人から放射される遠赤外線を検知するとＯＮとなり、人を検知しなくなるとＯＦＦとなる。この実施形態では、人感センサー５として受動赤外線検知器（パッシブセンサー）を用いる場合を一例としているが、人感センサー５はパッシブセンサー式以外のものであってもよい。人感センサー５は個室Ｂに入った人を検知できるように個室Ｂ内に取り付けてある。
【００２１】
前記扉センサー６は個室Ｂの扉Ｄの開閉を検知するものである。扉センサー６は扉Ｄが閉じている場合にＯＮとなり、扉Ｄが開くとＯＦＦとなる。この実施形態では、扉センサー６として磁気センサーを用いているが、扉センサー６はこれ以外であってもよく、例えば、リードスイッチや三軸デジタルコンパスなどを用いることもできる。この実施形態では、扉センサー６を個室Ｂの扉Ｄの上面と扉ＤのフレームＦに取り付けて、扉Ｄの開閉によりＯＮ、ＯＦＦするようにしてある。扉センサー６は個室Ｂの扉Ｄに設けてある錠前の開閉により作動する錠前センサーであってもよい。
【００２２】
図２（ａ）に示す例では、人感センサー５と扉センサー６の双方を備えている場合を一例としているが、人感センサー５と扉センサー６のいずれか一方のみとするともできる。また、人感センサー５と扉センサー６に加え、距離センサー、温度センサー、音センサー、気体センサー、温度センサー、湿度センサー等の他のセンサーを追加することもできる。
【００２３】
前記タイマー７は時間を設定するものであり、人感センサー５が人を検知してから検知状態を持続する時間を設定するものであり、例えば、５分、１０分といったように設定することができる。このタイマー７には既存のタイマーを用いることができる。前記通信部８は、人感センサー５や扉センサー６での検知信号を無線通信手段２に送信し、或いはサーバ４から無線通信手段２を介して送信される信号を受信するものである。前記制御部９は、人感センサー５、扉センサー６、タイマー７、通信部８、表示器１０等を制御するものである。制御部９にはマイコンを利用することができる。前記電源１１には商用電源を利用することもできるが、この実施形態では電池を利用している。
【００２４】
前記表示器１０は、個室Ｂの利用状況や管理情報（利用状況等）を表示するものである。本願において、利用状況とは、例えば、当該個室Ｂが空いていることや利用中であること、利用が所定時間よりも長時間にわたっていること、個室Ｂ内で異常が発生している可能性があること等、子機１内で取得或いは処理される情報をいい、管理情報とは、例えば、個室Ｂ内の設備（便座、扉Ｄ等）に何らかの故障が生じていること、清掃が必要であること、必要品（例えば、トイレットペーパー）の補充が必要であること、修理が必要であること等、サーバ４で取得或いは処理される情報をいう。
【００２５】
この実施形態では、一つの表示器１０に利用状況表示部１０ａと管理情報表示部１０ｂを設けてあり、利用状況表示部１０ａに利用状況が、管理情報表示部１０ｂに管理情報が表示されるようにしてある。利用状況表示部１０ａと管理情報表示部１０ｂを備えた表示器１０を用いる代わりに、利用状況表示用の表示器と管理情報用の表示器を別々に設けることもできる。表示器１０は必要に応じて設ければよく、不要な場合には省略することもできる。
【００２６】
なお、人感センサー５や扉センサー６、表示器１０などは物理的には別々の機器であるが、本願では、個室Ｂに設置するこれらの機器群のことを子機１と称する。
【００２７】
［無線通信手段］
前記無線通信手段２は、子機１から送られる信号を受信するものである。この実施形態では、無線通信手段２としてモノワイヤレス株式会社のＭｏＮｏＳＴＩＣＫ（モノワイヤレス社の出願商標）を用いている。この実施形態では、無線通信手段２を処理装置３に接続してある。無線通信手段２には個別のアドレス（本願において「通信機ＩＤ」という）が割り当てられている。無線通信手段２は、無線マイコンやアンテナ、ＵＳＢコネクタ等を備えている。前記無線マイコンには、無線回路やメモリ、マイコン部を備えたＴＷＥ−Ｌｉｔｅを用いている。無線通信手段２には、ＭｏＮｏＳＴＩＣＫに代えて、同社のＴＷＥ−ＬｉｔｅＤＩＰ等を用いることもできる。図３に仮想線で示すように、無線通信手段２は、一つの処理装置３に二以上（例えば、二〜八個程度）接続するのが好ましい。
【００２８】
［処理装置］
前記処理装置３は無線通信手段２で受信した信号を処理するものである。処理装置３には、例えば、小型コンピュータ（シングルボードコンピュータ）を用いることができる。この実施形態では、小型コンピュータとして、英国ラズベリーパイ財団が開発したラズベリーパイを用いている。小型コンピュータには、株式会社フィックスターズのＯｌｉｖｅ、ぷらっとホーム株式会社のＯｐｅｎＢｌｏｃｋｓ等を用いることもできる。
【００２９】
この実施形態の処理装置３は、図３に示すように、ＣＰＵ１３やメモリ１４、プロトコル変換手段（ゲートウェイ）１５等を備えている。この実施形態では、処理装置３が、いわゆるゲートウェイ機器として機能する。具体的には、無線通信手段２が受信した電気信号は、処理装置３のプロトコル変換手段１５においてインターネットプロトコル（ＩＰ）に変換される。処理装置３には送受信手段１６が接続されており、プロトコルが変換された信号が、当該送受信手段１６で前記サーバ４に送信される。送受信手段１６には、例えば、３Ｇ・ＬＴＥドングル等の各種無線通信ドングルや無線通信モジュールを用いることができる。個室の状況を同時に受信可能な無線通信モジュールを二つ以上に増やすこともできる。通信モジュールは個室の数に応じて受信チャンネルが重ならないように設定し個数を決定して搭載することができる。例えば、個室数が８室までの場合には無線通信モジュールは１つとし、９室を超える場合にはそれぞれの個室をＡグループ、Ｂグループという２つのグループに分ける。それぞれのグループの個室からのデータを送信する通信モジュールＡ、通信モジュールＢに分けることで無線通信のパケットの衝突を極力回避し、安定した無線通信経路を確保することを可能にする。
【００３０】
また、デジタルサイネージ表示機用に無線通信用のＷｉ−Ｆｉモジュールを追加することもできる。本モジュールによりＨＴＴＰ通信を用いてデジタルサイネージの色、文章、画像、音楽、ゲームなどのメディアを個室群表示用デジタルサイネージ表示機に送信し利用者に提示することができる。デジタルサイネージ表示機とは個室郡の情報をまとめてＬＥＤによる表示ができる機器又はマルチメディアを映像転送できるディスプレイ出力を搭載した機器により表示するものである。さらにルーム中継器の無線通信にタブレット端末等を接続し、ルーム中継器から直接あるいはルーム中継器と連携するクラウドサーバの情報をブラウザで参照してデータを取得することができる。
【００３１】
処理装置３及び無線通信手段２は、子機１と無線通信可能な範囲に設置する。この実施形態では、トイレルームの壁面や手洗い場の下側のスペースに設置してあるが、子機１との無線通信が可能であれば、他の場所に設置することもできる。処理装置３は必要に応じて二以上設けることもできる。トイレルーム内に個室Ｂ数が数個（例えば三つ）程度であれば一つでよいが、サービスエリアのようにトイレルーム内の個室Ｂ数が数十以上であるような場合には、複数の処理装置３を設けるのが好ましい。
【００３２】
［サーバ］
前記サーバ４は、利用者からの要求を受けて処理を行い、要求されたデータや処理結果を利用者の端末装置Ｘへ送信するものであり、本システムにおけるソフトウェア（以下「処理ソフト」という）が実行される部分である。
【００３３】
一例として図４に示すサーバ４は、送受信部（フロントエンド）１７と処理部１８と記憶部１９を備えている。送受信部１７は各種端末装置からの信号を受信し、それら端末装置に信号を返す（送信する）もの、処理部１８は送受信部１７が受信した要求信号に基づいて処理ソフトを実行し、その処理結果を送受信部１７へ返すもの、記憶部１９は送受信部１７に送信された信号や処理部１８での処理結果等を保持しておくものである。
【００３４】
前記処理部１８では、個室Ｂの連続利用時間や累積利用時間、平均利用時間、複数の個室Ｂの利用率等の算出、管理者向けページや保守業者向けページ、利用者向けページといった各種ページの生成、表示部制御命令の発行、保守業者への通知イベントの生成等の処理が行われる。連続利用時間、累積利用時間、平均利用時間、利用率等は、人感センサー５や扉センサー６等での検知情報に基づいて算出される。処理部１８での算出結果は記憶部１９に保存されるようにしてある。
【００３５】
この実施形態では、処理部１８において、サーバ４に送信される作業報告情報や提供情報に基づく処理が行われるようにしてある。また、この実施形態では、処理部１８において、予め所定条件を満たしたときにイベントを生成できるようにしてある。具体的には、直近に清掃をした時刻から所定時間が経過したときに保守業者（清掃業者）にメールが発せられるようにするとか、個室利用時間が長時間にわたっているときに警備員にメールが発せられるようにするとか、直近にトイレットペーパーを補充した時刻から所定時間が経過したときに保守業者（補充業者）にメールが発せられるようにすることができる。病院の各病室の管理を行うような場合には、看護師にメールが発せられるようにすることもできる。
【００３６】
前記管理者向けページは、本システムを導入する際に必要な個室情報を設定する設定ページ２０や個室Ｂの利用状況等を閲覧するための管理ページ２１等で構成され、保守業者向けページは、個室Ｂの清掃や備品補充等、個室Ｂの保守を行う保守業者が当該個室Ｂについて行った作業の報告をするための作業報告ページ２２等で構成され、利用者向けページは、個室Ｂの利用状況を閲覧するための利用状況確認ページ２３や個室Ｂの利用者が当該個室Ｂについての情報を提供するための情報提供ページ２４等で構成されている。
【００３７】
管理者は、前記設定ページ２０において、地図やレイアウト図（本願において、これら図を「領域図」と言うことがある。）の読み込み、情報表示部２５の設定、情報表示部２５に表示する表示情報の設定等を行うことができる。一例として図５に示す設定ページ２０は、識別情報表示部２６と、画像表示部２７と、領域設定部（領域図取り込み手段）２８、ログデータ表示部（コンソールフィールド）２９を備えている。識別情報表示部２６は、個室Ｂが設けられた領域（Ａｒｅａ）情報や親機ＩＰ（通信機ＩＰ）、エリアＩＤ等の各種識別情報が表示される領域、画像表示部２７は個室Ｂが設けられた個室設置領域Ａのレイアウト図や個室設置領域Ａのある施設の領域図が表示される領域、領域設定部２８はレイアウト図の範囲を指定して情報表示部２５を設定する部分、ログデータ表示部２９は子機１の人感センサー５や扉センサー６での検出履歴（ログデータ）が表示される領域である。
【００３８】
地図やレイアウト図を読み込むには、領域設定部２８にある「ファイルを選択」ボタン３０をクリックし、読み込みたいレイアウト図を選択する。選択したのち「ファイルを選択」ボタン３０の下にある「ルーム情報更新」ボタン３１をクリックすると、選択したレイアウト図が読み込まれ、画像表示部２７に当該レイアウト図が表示される（図６）。レイアウト図には、ｊｐｅｇ、ｐｎｇ、ｓｖｇ、ｂｍｐ、ｐｄｆといった各種形式のファイルを用いることもできる。場合によっては紙面に印刷されたものをスキャナで読み込んだデータなどを用いることもできる。なお、読み込むものはレイアウト図に限らず、フロアマップや施設全体のマップ等であってもよい。
【００３９】
レイアウト図を読み込んだのち、情報表示部２５を設定する。情報表示部２５は画像表示部２７に表示されたレイアウト図のオーバーレイ領域で設定する。情報表示部２５を設定するには、領域設定部２８にある指定ボタン３２をクリックし、読み込んだ地図やレイアウト図のオーバーレイ領域の任意領域を指定する。指定方法は特に限定されないが、例えば、図７（ａ）（ｂ）に示す二つの方法で指定することができる。
【００４０】
図７（ａ）に示す方法は、レイアウト図のオーバーレイ領域の任意位置をクリックして始点Ｓとし、次いで、同オーバーレイ領域の任意位置をクリックして終点Ｇとすることで、範囲を指定する方法である。具体的には、図７（ａ）のように、任意の個室Ｂの隅（図７（ａ）の例では左上）をクリックして始点Ｓとし、次いで個室Ｂの他の隅（図７（ａ）の例では右下）をクリックして終点Ｇとする。これにより、始点Ｓと終点Ｇを対角点とする四角形の領域が指定される。
【００４１】
図７（ｂ）に示す方法は、レイアウト図のオーバーレイ領域の任意の位置（選択点）Ｐをクリックし、その選択点Ｐを起点として自動的に範囲指定されるようにする方法である。具体的には、図７（ｂ）のように、任意の個室Ｂ内の任意の位置を選択点Ｐとしてクリックすると、当該選択点Ｐを含む一定の領域（図７（ｂ）の例では四角形の領域）が自動認識され、当該領域が範囲指定される。図７（ａ）（ｂ）のいずれの方法の場合も、範囲指定が行われると、領域設定部２８にある座標表示部３４内に指定した領域の座標が表示される。
【００４２】
情報表示部２５を範囲指定したのち、「個室を追加する」ボタン３３をクリックすると、指定した領域が情報表示部２５として設定される。なお、一度追加した個室について修正が必要な場合、指定ボタン３２の横にある修正ボタン５０をクリックして修正画面を開き、その修正画面で修正をすることができる。
【００４３】
情報表示部２５を設定したのち、当該情報表示部２５に表示させる情報の設定を行う。表示させる情報の設定方法は特に限定されないが、例えば、図８（ａ）（ｂ）に示す二つの方法で設定することができる。
【００４４】
図８（ａ）に示す方法は、ログデータ表示部２９に表示されるログデータを利用する方法である。この方法で設定を行う場合には、タブレット等の携帯型の端末装置Ｘを子機１が設置された個室設置領域へ持って行き、当該個室設置領域において作業を行う。具体的には、前記オーバーレイ領域上の個室Ｂに対応する実際の個室Ｂの扉Ｄを開け閉めし、編集画面上のログデータ表示部２９に当該個室Ｂに設置された子機１のログデータ（扉センサー６の検出データ）を表示させる。次いで、扉Ｄを開け閉めしたときにログデータ表示部２９に表示されたログデータのＩＤを確認して当該ログデータを選択し、選択したログデータを情報表示部２５として指定した範囲内にドラッグすると、画像表示部２７上の選択領域と子機１とが対応付けられ、子機１が設置された個室Ｂの状況が当該情報表示部２５に表示されるようになる。同様の作業を全個室Ｂについて繰り返すことによって、対応付け作業が完了する。
【００４５】
図８（ｂ）に示す方法は、子機１の固有ＩＤをブラウザ上で手入力する方法である。具体的には、情報表示部２５として指定した領域をクリックして、固有ＩＤ入力部３５を表示させ、当該固有ＩＤ入力部３５に実際の個室Ｂに設置されている子機１の固有ＩＤを入力する。これにより、画像表示部２７上の選択領域と子機１とが対応付けられ、子機１が設置された個室Ｂの状況が当該選択領域に表示されるようになる。
【００４６】
本システムでは、既存のレイアウト図をそのまま利用できるため、レイアウト図の作成やレイアウト図上の個室Ｂと実際の個室Ｂとを対応付けるためのプログラミングが、専門的な知識を持たない人でも容易に導入することができる。また、仮に子機１が故障したとしても、当該子機１を交換して前記対応付け作業を行うだけで修復できるため、故障によって利用ができないという時間を最小限にとどめることができる。さらに、施設を改装してレイアウトが変わったような場合にも、一からプログラミングをしなおす必要がなく、容易に、かつ短期間で再設定を行うことができる。
【００４７】
図９は前記管理ページ２１の一例を示したものである。管理ページ２１は管理者のみが閲覧することのできるページである。この管理ページ２１には前記設定ページ２０で読み込んだレイアウト図のほか、設定ページ２０で設定した情報表示部２５が表示されるようにしてある。この情報表示部２５の表示は、実際の個室Ｂの状況に合わせてリアルタイムで変化するようにしてあり、管理者はこのページを見るだけで、個室Ｂの利用状況を確認することができる。
【００４８】
管理ページ２１は複数ページで構成することができる。例えば、利用状況管理ページ、ログデータ表示ページ、提供情報管理ページ、作業状況管理ページ、表示部管理ページ等で構成することができる。利用状況管理ページは処理部１８で算出された所定期間（例えば、１日、１週間、１カ月）あたりの扉Ｄの開閉回数、所定期間あたりの稼働率、所定期間あたりの平均利用時間、所定期間あたりの１時間ごとの稼働率、所定期間あたりの故障率等の管理情報の表示や管理をするページ、ログデータ表示ページは人感センサー５や扉センサー６の検知の有無や検知時刻等のログデータの表示や管理をするページ、提供情報管理ページは一般利用者から提供される情報の表示や管理をするページ、作業状況管理ページは、保守業者への作業指示や保守業者からの作業報告等の表示や管理をするページ、表示部管理ページは子機１の表示器１０の表示や管理をするページである。
【００４９】
図１０（ａ）〜（ｃ）は、利用状況管理ページの一例を示すものである。図１０（ａ）は各個室Ｂの累計利用時間を棒グラフで表示した場合の一例を示すもの、図１０（ｂ）は営業時間あたりの利用時間を棒グラフで表示した場合の一例を示すもの、図１０（ｃ）は累計扉開閉回数を棒グラフで表示した場合の一例を示すものである。図１０（ａ）の累計利用時間は１日当たりの累計利用時間、１週間当たりの累計利用時間、１カ月当たりの累計利用時間など、任意期間の累計利用時間が表示されるようにすることもできる。管理ページ２１では、サーバ４に送られる各種データ（いわゆるビッグデータ）に基づいて算出可能な各種数値を表示することができる。
【００５０】
前記表示部管理ページでは、個室Ｂに設置された子機１の表示器１０の表示を制御することができる。例えば、清掃が必要な個室Ｂの表示器１０に赤色等のランプを点灯させ、当該個室Ｂの清掃が完了したとき（保守業者から作業報告がされたとき）に当該ランプを消灯させるとか、トイレットペーパーが切れている個室Ｂの表示器１０に緑色等のランプを点灯させ、当該個室Ｂにトイレットペーパーが補充されたときに当該ランプを消灯させる等の制御を行うことができる。
【００５１】
図１１（ａ）（ｂ）は、端末装置Ｘのブラウザ上に表示される作業報告ページ２２の一例を示したものである。この作業報告ページ２２は、作業項目選択部３６と送信ボタン３７を備えている。作業項目選択部３６には、作業項目をチェックボックス付きのリストとして表示してあり、該当する項目のチェックボックスをチェックして送信ボタン３７をタッチするだけで作業報告を行えるようにしてある。なお、作業報告情報はサーバ４に送信され、この情報をもとに処理部１８で処理が行われるようにしてある。
【００５２】
この実施形態では、個室Ｂ内に作業報告用コード３８としてＱＲコード（登録商標）（二次元コード）を表示してあり、当該作業報告用コード３８を端末装置Ｘで読み込むことで前記作業報告ページ２２が表示されるようにしてあるが、この作業報告用コード３８に代えて、作業項目別の二次元コード（作業項目別コード）３９を複数表示し、該当する作業項目別コード３９を読み込むだけで作業報告が完了するようにすることもできる。いずれの場合も、いたずら防止のために、作業報告に際してパスワードの入力を要求するようにすることもできる。二次元コードはバーコード等であってもよい。
【００５３】
図１２は、端末装置Ｘのブラウザ上に表示される利用状況確認ページ２３の一例を示したものである。この利用状況確認ページ２３には、前記設定ページ２０で設定を行ったレイアウト図及び情報表示部２５並びに凡例一覧４０が表示され、利用者が個室Ｂの利用状況を確認できるようにしてある。この実施形態では、利用状況として、「空室」「利用中」「長時間」「無反応」「入れ替り」「入室」「長時間２」「無反応２」が表示されるようにしてある。「入室」は個室Ｂ内に人が入ったことを示すものであり、扉Ｄが閉まった後、人感センサー５が人を検知したときに表示される。「利用中」は個室Ｂが利用されていることを示すものであり、入室が確定したのち、扉Ｄが開くことなく人感センサー５で人の動きが検知されるときに表示される。「長時間」は使用が長時間にわたっていることを示すものであり、入室が確定してから所定時間（例えば１０分）以上扉Ｄが開かないときに表示される。「長時間２」は使用が「長時間」以上に長時間にわたっていることを示すものであり、入室が確定してから或いは「長時間」になってから所定時間（例えば入室確定から３０分）以上扉Ｄが開かないときに表示される。「無反応」は個室Ｂ内で人の動きがないことを示すものであり、入室が確定してから所定時間（例えば１０分）以上人感センサー５が人の動きを検知しないときに表示される。「無反応２」は「無反応」以上の長時間にわたって個室Ｂ内で人の動きがないことを示すものであり、入室が確定してから或いは「無反応」になってから所定時間（例えば入室確定から３０分）以上人感センサー５が人の動きを検知しないときに表示される。「入れ替り」は、個室Ｂに人の出入りがあったことを示すものであり、閉まっていた扉Ｄが開いたのち、人感センサー５が人の動きを検知したときに表示される。「空室」は個室Ｂ内に人がいない状態を示すものであり、開いていた扉Ｄが閉まってから人感センサー５がＯＮになることがない場合に表示される。なお、前記利用状況は一例であり、これ以外の状況が表示されるようにすることもできる。利用状況は、サーバ４に送信されるデータに基づいて処理部１８で判断され、タイムリーに更新されるようにしてある。
【００５４】
図１３（ａ）（ｂ）は、端末装置Ｘのブラウザ上に表示される情報提供ページ２４の一例を示したものである。この情報提供ページ２４は、項目選択部４１と送信ボタン４２を備えている。項目選択部４１には、情報提供の項目をチェックボックス付きのリストとして表示してあり、該当する項目のチェックボックスをチェックして送信ボタン４２をタッチするだけで情報提供を行えるようにしてある。なお、提供された情報はサーバ４に送信され、この情報をもとに処理部１８で処理が行われるようにしてある。
【００５５】
この実施形態では、個室Ｂ内に二次元コード（情報提供用コード）４３を表示してあり、当該情報提供用コード４３を端末装置Ｘで読み込むことで前記情報提供ページ２４が表示されるようにしてあるが、この情報提供用コード４３に代えて、提供項目別の二次元コード（提供項目別コード）４４を複数表示し、該当する提供項目別コード４４を読み込むだけで作業報告が完了するようにすることもできる。
【００５６】
本システムでは、ブラウザ上でＵＲＬを入力することによって前記各ページにアクセスできるようにすることも、施設の任意の場所に設置した二次元コードを読み込むことで前記各ページにアクセスできるようにすることもできる。二次元コードの表示場所は導入する施設に合わせて適宜決定することができ、例えば、遊園地の入場券の半券や飲食品店の卓上の呼び出しボタン、イベントで配布されるパンフレットやガイド、個室Ｂ内等に表示しておくことができる。
【００５７】
（その他の実施形態）
本システムでは、地図やレイアウト図を複数枚利用して、階層的に利用状況を確認できるようにすることもできる。例えば、遊園地や花火大会会場のように、ある施設内の複数個所（例えば五カ所）にトイレルームが設けられているような場合、図１４（ａ）（ｂ）のように、当該施設の全体マップ４５と、各トイレルームのレイアウト図を読み込み、全体マップ４５上でいずれかのトイレルームを選択すると、当該トイレルームのレイアウト図４６が表示されるようにすることができる。なお、全体マップ４５には緯度情報や経度情報を付加することもできる。このようにした場合、利用者はＧＰＳ等で得られる自身の位置情報をもとに、どのトイレルームが自身の位置から最も近いかを確認できるようにすることができる。
【００５８】
同様に、オフィスビルやショッピングモールのように、ワンフロアの複数個所（例えば三カ所）にトイレルームが設けられているような場合、図１５（ａ）（ｂ）のように、当該フロアのフロアマップ４７と、トイレルームのレイアウト図４８を読み込み、フロアマップ４７上でいずれかのトイレルームを選択すると、当該トイレルームのレイアウト図４８が表示されるようにすることができる。
【００５９】
複数の地図やレイアウト図を階層的に表示できるようにする場合、前記例における全体マップ４５やフロアマップ４７には、当該トイレルームにおける個室Ｂの混雑度（利用率）や空室率がパーセント表示されるようにすることができる。この場合、表示の仕方はパーセンテージ表示のほか、分数（利用個室数／当該トイレルームの個室総数）やグラフ（円グラフ）などとすることもできる。また、利用率が１００％である時は赤等、５０％未満であれば青等、それ以外は黄色等というように、予め基準を設定し、その基準に従って色が変わるようにしておくこともできる。利用率を表示する代わりに空室率を表示するようにしてもよい。この場合、利用率表示と空室率表示をボタン一つで切換えられるようにすることもできる。
【００６０】
前記実施形態では、個室Ｂがトイレブースの場合を一例としているが、個室Ｂはこれに限られず、フィットネスクラブの更衣室やシャワーブース、カラオケルームのカラオケブース、オフィスビルや官公庁ビルの会議室、衣料品店の試着室、商業施設の授乳室、病院や老人ホームの個室Ｂ等、トイレブース等であってもよい。また、本システムは、商業ビルやデパート、パーキングエリア、飲食品店などの屋内施設に設けられた個室Ｂに限らず、花火大会会場や野外コンサート会場、お祭り会場等のように屋外に臨時に（一時的に）設けられた個室Ｂの管理に用いることもできる。病院や老人ホームの個室Ｂ等を管理する場合、表示器１０に保守員の呼び出し表示や看護師の呼び出し表示、お茶や薬、着替え、体温計といった必要品を持ってきてほしいことの表示がされるようにすることもできる。
【００６１】
前記実施形態では、サーバ４がいわゆるクラウドサーバの場合を一例としているが、サーバ４はＬＡＮ等で接続されたローカルサーバであってもよい（図１６（ａ））。また、サーバ４で実行される処理ソフトが処理装置３で実行されるようにした場合には、サーバ４を省略することもできる。処理装置３で処理ソフトが実行されるようにする場合、処理装置３に直接モニタを接続してモニタリングできるようにすることができる（図１６（ｂ））。
【００６２】
前記実施形態と異なる形態として、図１７（ａ）に示すような喫茶店では、図１７（ｂ）のように、個室Ｂ（外室）の中に個室Ｂ（内室）が設けられている構造のトイレルームがある。図１７（ａ）は喫茶店の店舗図４９の一例を示すもの、図１７（ｂ）は当該店舗図４９のトイレルームのレイアウト図５１の一例を示すものである。このような場合、外室と内室のそれぞれに子機１を設置し、外室と内室の双方がＯＮのときに、外室に設けられた子機１の表示器１０が利用中となるようにすることもできるが、外室と内室のいずれか一方がＯＮのときに、外室に設けられた子機１の表示器１０が利用中となるようにすることもできる。このようにするのは、内室を利用中に他人が外室に入ってくるのを嫌がる人に配慮するためである。
【産業上の利用可能性】
【００６３】
本システムは、遊園地のほか、商業ビルやオフィスビル、パーキングエリア、花火大会会場等の特設のイベント会場、試験会場、スポーツ会場、飲食店、病院、介護施設、学校、競技場等、多数の人が集まる場所や建物であって、複数の個室Ｂを備えているところで、特に好適に利用することができるほか、一人暮らしのお年寄りの安全確認システム等に応用することもできる。本システムは、個室Ｂの扉Ｄが常閉扉Ｄを備えた個室Ｂに限らず、常開扉Ｄを備えた個室Ｂにも適用することができる。
【符号の説明】
【００６４】
１      子機
２      無線通信手段
３      処理装置
４      サーバ
５      人感センサー
６      扉センサー
７      タイマー
８      無線通信部
９      制御部（マイコン）
１０    表示器
１０ａ  利用状況表示部
１０ｂ  管理情報表示部
１１    電源
１３    ＣＰＵ
１４    メモリ
１５    プロトコル変換手段（ゲートウェイ）
１６    送受信手段
１７    送受信部
１８    処理部
１９    記憶部
２０    設定ページ
２１    管理ページ
２２    作業報告ページ
２３    利用状況確認ページ
２４    情報提供ページ
２５    情報表示部
２６    識別情報表示部
２７    画像表示部
２８    領域設定部
２９    ログデータ表示部（コンソールフィールド）
３０    「ファイルを選択」ボタン
３１    「ルーム情報更新」ボタン
３２    指定ボタン
３３    「個室を追加する」ボタン
３４    座標表示部
３５    固有ＩＤ入力部
３６    作業項目選択部
３７    送信ボタン
３８    作業報告用コード
３９    作業項目用コード
４０    汎例一覧
４１    項目選択部
４２    送信ボタン
４３    情報提供用コード
４４    提供項目別コード
４５    全体マップ
４６    レイアウト図
４７    フロアマップ
４８    レイアウト図
４９    店舗図
５０    修正ボタン
５１    レイアウト図
Ａ      個室設置領域
Ｂ      個室
Ｄ      扉
Ｆ      フレーム
Ｇ      終点
Ｐ      選択点
Ｓ      始点
Ｘ      端末装置
Ｙ      基地局
【図１】
2018132789.tif 000003
【図２】
2018132789.tif 000004
【図３】
2018132789.tif 000005
【図４】
2018132789.tif 000006
【図５】
2018132789.tif 000007
【図６】
2018132789.tif 000008
【図７】
2018132789.tif 000009
【図８】
2018132789.tif 000010
【図９】
2018132789.tif 000011
【図１０】
2018132789.tif 000012
【図１１】
2018132789.tif 000013
【図１２】
2018132789.tif 000014
【図１３】
2018132789.tif 000015
【図１４】
2018132789.tif 000016
【図１５】
2018132789.tif 000017
【図１６】
2018132789.tif 000018
【図１７】
2018132789.tif 000019